(57)【特許請求の範囲】
【請求項１】
第１方向に沿って曲げられており、かつ複数の画素領域を含む曲面液晶表示装置において、
互いに対向する第１基板及び第２基板と、
前記第１基板上の前記複数の画素領域に位置する画素電極と、
前記画素電極上に位置して、前記第１方向に対して垂直方向に光配向された第１配向膜と、
前記第２基板上に位置する共通電極と、
前記共通電極上に位置して、前記第１方向に平行な方向に光配向された第２配向膜と、
前記第１基板と前記第２基板の間に位置する液晶層と、
を含み、
前記画素領域は、横中心線及び縦中心線によって少なくとも４個の領域に分かれており、
前記４個の領域は、左上領域、右上領域、右下領域、及び左下領域で形成されており、前記４個の領域が、異なる液晶傾斜方向を有し、
前記第１配向膜は、前記右上領域及び前記右下領域で前記第１方向に対して垂直な第２方向に光配向されており、
前記第１配向膜は、前記左上領域及び前記左下領域で前記第２方向の正反対の方向に光配向されている、曲面液晶表示装置。
【請求項２】
前記第２配向膜は、前記左下領域及び前記右下領域で前記第１方向に光配向されており、
前記第２配向膜は、前記左上領域及び前記右上領域で前記第１方向の正反対の方向に光配向されている、請求項１に記載の曲面液晶表示装置。
【請求項３】
前記複数の画素領域はマトリックス状に配置されており、
前記複数の画素領域は、複数の第１色画素領域、複数の第２色画素領域、及び複数の第３色画素領域を含んでおり、
前記複数の第１色画素領域は前記第１方向に沿って配置されており、
前記複数の第２色画素領域は前記第１方向に沿って配置されており、
前記複数の第３色画素領域は前記第１方向に沿って配置されている、請求項１に記載の曲面液晶表示装置。
【請求項４】
前記第１色画素領域及び前記第２色画素領域は、前記第１方向に対して垂直方向に隣接するように配置されており、
前記第２色画素領域及び前記第３色画素領域は、前記第１方向に対して垂直方向に隣接するように配置されている、請求項３に記載の曲面液晶表示装置。
【請求項５】
前記複数の画素領域は、二つの長辺と、二つの短辺とを含む長方形に形成されており、
前記長辺は前記第１方向に平行である、請求項４に記載の曲面液晶表示装置。
【請求項６】
前記第２基板上に位置する遮光部材をさらに含んでおり、
前記遮光部材は前記複数の画素領域間の境界に位置しており、
前記遮光部材は前記第１方向に沿って形成されており、
前記遮光部材は、前記第１方向に隣接した前記複数の画素領域間の境界には位置せず、前記第１方向に対して垂直方向に隣接した前記複数の画素領域間の境界に位置する、請求項１に記載の曲面液晶表示装置。
【請求項７】
第１方向に沿って曲げられており、かつ複数の画素領域を含む曲面液晶表示装置において、
互いに対向する第１基板及び第２基板と、
前記第１基板上の前記複数の画素領域に位置する画素電極と、
前記画素電極上に位置して、前記第１方向に対して垂直方向に光配向された第１配向膜と、
前記第２基板上に位置する共通電極と、
前記共通電極上に位置して、前記第１方向に平行な方向に光配向された第２配向膜と、
前記第１基板と前記第２基板の間に位置する液晶層と、
を含み、
前記画素領域は前記第１方向の３個の線により４個の領域に分かれており、
前記４個の領域は、最上領域、中上領域、中下領域、最下領域に分かれている、曲面液晶表示装置。
【請求項８】
前記第１配向膜は、前記中上領域及び前記中下領域で前記第１方向に対して垂直な第２方向に光配向されており、
前記第１配向膜は、前記最上領域及び前記最下領域で前記第２方向の正反対の方向に光配向されており、
前記第２配向膜は、前記中下領域及び前記最下領域で前記第１方向に光配向されており、
前記第２配向膜は、前記最上領域及び前記中上領域で前記第１方向の正反対の方向に光配向されている、請求項７に記載の曲面液晶表示装置。
【発明の詳細な説明】
【技術分野】
【０００１】
本発明は、曲面液晶表示装置に関し、上部表示板と下部表示板のミスアライメントによる特性変動を防止できる曲面液晶表示装置に関する。
【背景技術】
【０００２】
液晶表示装置は、現在、最も幅広く使用されている平板表示装置の一つであって、画素電極、共通電極などの電界生成電極（field generating electrode）が形成されている二枚の表示板と、その間に挿入される液晶層とを含む。液晶表示装置は、電界生成電極に電圧を印加して液晶層に電界を印加し、これを通じて液晶分子の方向を決定し、入射光の偏光を制御することによって画像を表示する。
液晶表示装置を構成する二枚の表示板は、薄膜トランジスタ表示板と対向表示板とで構成される。薄膜トランジスタ表示板には、ゲート信号を伝送するゲート線と、データ信号を伝送するデータ線とが互いに交差して形成され、ゲート線及びデータ線と接続される薄膜トランジスタ、及び薄膜トランジスタと接続される画素電極などが形成される。対向表示板には、遮光部材、カラーフィルタ、及び共通電極などが形成される。場合により、遮光部材、カラーフィルタ、及び共通電極が薄膜トランジスタ表示板に形成されることもある。
最近は、液晶表示装置が大型化する傾向にあり、大型液晶表示装置で視聴者の没入感を高めるために、曲面（curved）液晶表示装置が開発されている。
二枚の表示板にそれぞれの構成要素を形成し、これを合着して平板液晶表示装置を製造した後、これを曲げる工程を通じて曲面液晶表示装置を実現することができる。このとき、二枚の表示板の間にミスアライメントが発生して配向特性が変わることがあり、混色が発生したり、透過率が低下したりするなどの問題点がある。
【発明の概要】
【発明が解決しようとする課題】
【０００３】
本発明は上記のような問題点に鑑みてなされたものであって、本発明の目的は、上部表示板と下部表示板のミスアライメントによる特性変動を防止できる曲面液晶表示装置を提供することにある。
【課題を解決するための手段】
【０００４】
上記の目的を達成するために、本発明の一実施形態による曲面液晶表示装置は、第１方向に沿って曲げられており、かつ複数の画素領域を含む曲面液晶表示装置において、互いに対向する第１基板及び第２基板と、前記第１基板上の前記複数の画素領域に位置する画素電極と、前記画素電極上に位置して、前記第１方向に対して垂直方向に光配向される第１配向膜と、前記第２基板上に位置する共通電極と、前記共通電極上に位置して、前記第１方向に平行な方向に光配向される第２配向膜と、前記第１基板と前記第２基板の間に位置する液晶層と、を含むことを特徴とする。
【０００５】
前記画素領域は、横中心線及び縦中心線によって少なくとも４個の領域に分けられており、前記４個の領域は、左上領域、右上領域、右下領域、及び左下領域で形成されてもよい。前記４個の領域は、異なる液晶傾斜方向を有している。
前記第１配向膜は、前記右上領域及び前記右下領域で前記第１方向に対して垂直な第２方向に光配向され、前記第１配向膜は、前記左上領域及び前記左下領域で前記第２方向の正反対の方向に光配向されてもよい。
前記第２配向膜は、前記左下領域及び前記右下領域で前記第１方向に光配向され、前記第２配向膜は、前記左上領域及び前記右上領域で前記第１方向の正反対の方向に光配向されてもよい。
前記画素領域は第１副画素領域及び第２副画素領域を含み、前記画素電極は、前記第１副画素領域に位置する第１副画素電極、及び前記第２副画素領域に位置する第２副画素電極を含み、前記第１副画素領域及び前記第２副画素領域はそれぞれ前記４個の領域に分かれてもよい。
前記第２副画素電極は、前記第１副画素電極を取り囲む形態に形成されてもよい。
前記第１基板上に位置するカラーフィルタをさらに含んでもよい。
前記第２基板上に位置するカラーフィルタをさらに含んでもよい。
前記複数の画素領域はマトリックス状に配置され、前記複数の画素領域は、複数の第１色画素領域、複数の第２色画素領域、及び複数の第３色画素領域を含み、前記複数の第１色画素領域は前記第１方向に沿って配置され、前記複数の第２色画素領域は前記第１方向に沿って配置され、前記複数の第３色画素領域は前記第１方向に沿って配置されてもよい。
前記第１色画素領域と前記第２色画素領域は、前記第１方向に対して垂直方向に隣接するように配置され、前記第２色画素領域と前記第３色画素領域は、前記第１方向に対して垂直方向に隣接するように配置されてもよい。
前記複数の画素領域は、二つの長辺と、二つの短辺とを含む長方形に形成され、前記長辺は前記第１方向に平行であってもよい。
前記第２基板上に位置する遮光部材をさらに含み、前記遮光部材は前記複数の画素領域間の境界に位置してもよい。
前記遮光部材は前記第１方向に沿って形成されてもよい。
前記遮光部材は、前記第１方向に隣接した前記複数の画素領域間の境界には位置せず、前記第１方向に対して垂直方向に隣接した前記複数の画素領域間の境界に位置してもよい。
前記画素領域は、前記第１方向の３個の線により４個の領域に分かれ、前記４個の領域は最上領域、中上領域、中下領域、最下領域に分かれてもよい。
前記第１配向膜は、前記中上領域及び前記中下領域で前記第１方向に対して垂直な第２方向に光配向され、前記第１配向膜は、前記最上領域及び前記最下領域で前記第２方向の正反対の方向に光配向されてもよい。
前記第２配向膜は、前記中下領域及び前記最下領域で前記第１方向に光配向され、前記第２配向膜は、前記最上領域及び前記中上領域で前記第１方向の正反対の方向に光配向されてもよい。
前記画素領域は第１副画素領域及び第２副画素領域を含み、前記画素電極は、前記第１副画素領域に位置する第１副画素電極と、前記第２副画素領域に位置する第２副画素電極と、を含み、前記第１副画素領域及び前記第２副画素領域はそれぞれ前記４個の領域に分かれる。
前記第２副画素電極は、前記第１副画素電極を取り囲む形態に形成されてもよい。
前記第１基板上に位置する間隔材をさらに含んでもよい。
【発明の効果】
【０００６】
上記のような本発明の一実施形態による曲面液晶表示装置は、次のような効果がある。
本発明の一実施形態による曲面液晶表示装置は、上部表示板に形成されている配向膜の光配向方向を曲率方向と平行にすることにより、上部表示板と下部表示板のミスアライメントが発生しても、配向特性を維持することができる。
【図面の簡単な説明】
【０００７】
【図１】本発明の一実施形態による曲面液晶表示装置の斜視図である。
【図２】本発明の一実施形態による曲面液晶表示装置の一画素を示す回路図である。
【図３】本発明の一実施形態による曲面液晶表示装置の一画素の平面図である。
【図４】図３のＩＶ−ＩＶ線に沿って示す本発明の一実施形態による曲面液晶表示装置の断面図である。
【図５】本発明の一実施形態による曲面液晶表示装置の一画素領域で液晶分子が傾く方向を示す平面図である。
【図６Ａ】光配向するとき使用する二つのマスクを示す概略図である。
【図６Ｂ】光配向するとき使用する二つのマスクを示す概略図である。
【図７Ａ】図６のマスクを使用して光を照射する方法を示す概略図である。
【図７Ｂ】図６のマスクを使用して光を照射する方法を示す概略図である。
【図８Ａ】配向膜の配向方向と、これによる液晶分子の傾斜方向を示す図面である。
【図８Ｂ】配向膜の配向方向と、これによる液晶分子の傾斜方向を示す図面である。
【図８Ｃ】配向膜の配向方向と、これによる液晶分子の傾斜方向を示す図面である。
【図９】本発明の一実施形態による曲面液晶表示装置を示す断面図である。
【図１０】本発明の一実施形態による曲面液晶表示装置を示す平面図である。
【図１１】図１０のＸＩ−ＸＩ線に沿って示す本発明の一実施形態による曲面液晶表示装置の断面図である。
【図１２】本発明の他の実施形態による曲面液晶表示装置を示す平面図である。
【図１３】本発明の一実施形態による曲面液晶表示装置を示す平面図である。
【図１４】図１３のＸＩＶ−ＸＩＶ線に沿って示す本発明の一実施形態による曲面液晶表示装置の断面図である。
【図１５】本発明の他の実施形態による曲面液晶表示装置を示す断面図である。
【図１６Ａ】本発明の一実施形態による曲面液晶表示装置における配向膜の配向方向と、これによる液晶分子の傾斜方向を示す図面である。
【図１６Ｂ】本発明の一実施形態による曲面液晶表示装置における配向膜の配向方向と、これによる液晶分子の傾斜方向を示す図面である。
【図１６Ｃ】本発明の一実施形態による曲面液晶表示装置における配向膜の配向方向と、これによる液晶分子の傾斜方向を示す図面である。
【発明を実施するための形態】
【０００８】
以下、添付した図面を参照して、本発明の実施形態について本発明が属する技術分野における通常の知識を有する者が容易に実施できるように詳細に説明する。しかし、本発明は種々の異なる形態を実現することができ、以下で説明する実施形態に限られない。
図面において、種々の層及び領域を明確に表現するために厚さを拡大して示した。明細書の全体にわたって類似する部分に対しては同一の図面符号を付した。層、膜、領域、板などの部分が他の部分の「上」にあると表現される場合、それは他の部分の「すぐ上」にある場合だけでなく、その中間に他の部分がある場合も含む。一方、ある部分が他の部分の「すぐ上」にあると表現される場合には、中間に他の部分がないことを意味する。
先ず、図１を参照して、本発明の一実施形態による曲面液晶表示装置について説明する。
図１は、本発明の一実施形態による曲面液晶表示装置の斜視図である。
図１に示すように、本発明の一実施形態による曲面液晶表示装置１０００は、一定の曲率を有して曲がった形態に形成される。曲面液晶表示装置１０００は第１方向Ｗ１に沿って曲がる。本発明の一実施形態による曲面液晶表示装置１０００は、平らな形態の平面液晶表示装置を製造した後、これを曲げて曲面を形成する。
平面液晶表示装置の場合、視聴者の目から表示装置に含まれている複数の画素までの距離がそれぞれ異なっている。例えば、視聴者の目から平面表示装置の中央に位置した画素までの距離よりも、左右両側周縁に位置した画素までの距離がさらに遠いこともある。反面、本発明の一実施形態による曲面液晶表示装置１０００の場合、曲面を延長して形成される円の中心が視聴者の目の位置であるとき、視聴者の目から複数の画素までの距離はほぼ一定である。このような曲面表示装置は、平面表示装置に比べ、視聴角度が広くて、より多くの量の情報が視細胞を刺激し、視神経を通じて脳により多くの視覚情報を伝達する。これにより、現実感、没入感をより高めることができる。
【０００９】
本発明の一実施形態による曲面液晶表示装置１０００は複数の画素領域を含む。以下、図２〜図４を参照して、本発明の一実施形態による曲面液晶表示装置の一画素について説明する。
図２は、本発明の一実施形態による曲面液晶表示装置の一画素を示す回路図である。図３は、本発明の一実施形態による曲面液晶表示装置の一画素の平面図であり、図４は、図３のＩＶ−ＩＶ線に沿って示す本発明の一実施形態による曲面液晶表示装置の断面図である。
図２を参照すると、各画素領域ＰＸは第１副画素領域ＰＸａ及び第２副画素領域ＰＸｂを含む。第１副画素領域ＰＸａ及び第２副画素領域ＰＸｂは、それぞれゲート線１２１及び当該データ線１７１ａ、１７１ｂに接続されているスイッチング素子Ｑａ、Ｑｂと、これに接続されている液晶キャパシタＣｌｃａ、Ｃｌｃｂと、スイッチング素子Ｑａ、Ｑｂ及び維持電極線１３１に接続されているストレージキャパシタＣｓｔａ、Ｃｓｔｂと、を含む。
各スイッチング素子Ｑａ、Ｑｂは、制御端子、入力端子及び出力端子を含む三端子素子であって、制御端子はゲート線１２１と接続され、入力端子は当該データ線１７１ａ、１７１ｂと接続され、出力端子は液晶キャパシタＣｌｃａ、Ｃｌｃｂ及びストレージキャパシタＣｓｔａ、Ｃｓｔｂと接続されている。
液晶キャパシタＣｌｃａ、Ｃｌｃｂの補助的な役割を果たすストレージキャパシタＣｓｔａ、Ｃｓｔｂは、維持電極線１３１と画素電極（図示せず）が絶縁体を介して重なって形成され、維持電極線１３１には共通電圧Ｖｃｏｍなどの定められた電圧が印加される。しかし、ストレージキャパシタＣｓｔａ、Ｃｓｔｂは、画素電極が絶縁体を媒介としてすぐ上の前段ゲート線と重なって形成されてもよい。
【００１０】
図３及び図４を参照すると、本実施形態による液晶表示装置は、互いに対向する下部表示板１００と上部表示板２００、及びその間に介されている液晶層３を含む。
先ず、下部表示板１００について説明する。
第１基板１１０の上にゲート線１２１及び維持電極線１３１を含むゲート導電体が形成されている。
ゲート線１２１は主に横方向に延在し、ゲート信号を伝達する。ゲート線１２１は、上に拡張されている第１ゲート電極１２４ａ及び第２ゲート電極１２４ｂと、幅が広い端部１２９とを含む。
維持電極線１３１は主に横方向に延在し、共通電圧などを伝達する。各維持電極線１３１は二つのゲート線１２１の間に位置し、維持電極１３３を含む。
維持電極１３３は上面、下面、左面、及び右面を有する帯状である。維持電極１３３の上面は、下方に拡張されている拡張部１３４ａと、上方に拡張されている拡張部１３４ｂとを含み、拡張部１３４ａ、１３４ｂは接続されている。維持電極１３３の下面も、下方に拡張されている拡張部１３５ｂと、上方に拡張されている拡張部１３５ａとを含むが、このとき、拡張部１３５ａ、１３５ｂは接続されていない。帯状の維持電極１３３の一部は除去されており、除去された部分は拡張部１３５ａ、１３５ｂの間に位置する。維持電極１３３の上面及び下面は左面及び右面より幅が広くてもよい。
ゲート線１２１及び維持電極線１３１の上にはゲート絶縁膜１４０が形成されている。
ゲート絶縁膜１４０の上には線状半導体（図示せず）が形成されている。線状半導体は主に縦方向に延在し、第１及び第２ゲート電極１２４ａ、１２４ｂに向かって延在した第１及び第２突出部１５４ａ、１５４ｂを含む。
【００１１】
線状半導体上には線状オーミックコンタクト部材（図示せず）、第１島状オーミックコンタクト部材１６５ａ、及び第２島状オーミックコンタクト部材（図示せず）が形成されている。線状オーミックコンタクト部材は第１突出部１６３ａ及び第２突出部（図示せず）を有し、第１突出部１６３ａと第１島状オーミックコンタクト部材１６５ａは対をなして、線状半導体の第１突出部１５４ａの上で対向し、第２突出部と第２島状オーミックコンタクト部材は対をなして、線状半導体の突出部１５４ｂの上で対向する。
線状オーミックコンタクト部材及びゲート絶縁膜１４０の上には、第１及び第２データ線１７１ａ、１７１ｂと第１及び第２ドレイン電極１７５ａ、１７５ｂが形成されている。
第１及び第２データ線１７１ａ、１７１ｂは主に縦方向に延在して、ゲート線１２１及び維持電極線１３１と交差し、データ電圧を伝達する。第１データ線１７１ａは、第１ゲート電極１２４ａに向かって延在した第１ソース電極１７３ａと、幅の広い端部１７９ａとを含む。第２データ線１７１ｂは、第２ゲート電極１２４ｂに向かって延在した第２ソース電極１７３ｂと、幅の広い端部１７９ｂとを含む。第１データ線１７１ａと第２データ線１７１ｂは互いに異なる電圧が供給される。第１データ線１７１ａには第１データ電圧が供給され、第２データ線１７１ｂには第１データ電圧より低い第２データ電圧が供給される。
【００１２】
第１ドレイン電極１７５ａは、第１ゲート電極１２４ａを中心に第１ソース電極１７３ａと対向し、第２ドレイン電極１７５ｂは、第２ゲート電極１２４ｂを中心に第２ソース電極１７３ｂと対向する。第１及び第２ドレイン電極１７５ａ、１７５ｂの端部は、第１及び第２ソース電極１７３ａ、１７３ｂの曲がった部分により一部が取り囲まれている。
線状半導体は、第１ソース電極１７３ａと第１ドレイン電極１７５ａの間のチャネル領域、及び第２ソース電極１７３ｂと第２ドレイン電極１７５ｂの間のチャネル領域を除いては、第１及び第２データ線１７１ａ、１７１ｂ及び第１及び第２ドレイン電極１７５ａ、１７５ｂと実質的に同一の平面形状を有する。
線状オーミックコンタクト部材は、線状半導体と第１及び第２データ線１７１ａ、１７１ｂとの間に挿入されており、第１及び第２データ線１７１ａ、１７１ｂと実質的に同一の平面形状を有する。第１及び第２島状のオーミックコンタクト部材は、線状半導体と第１及び第２ドレイン電極１７５ａ、１７５ｂとの間に挿入されており、第１及び第２ドレイン電極１７５ａ、１７５ｂと実質的に同一の平面形状を有する。
第１及び第２データ線１７１ａ、１７１ｂと第１及び第２ドレイン電極１７５ａ、１７５ｂの上には窒化ケイ素（ＳｉＮｘ）または酸化ケイ素（ＳｉＯ２）などの無機絶縁物質からなる遮断層１６０が形成されており、遮断層１６０の上にはカラーフィルタ２３０が形成されている。場合によって遮断層１６０は省略可能である。
カラーフィルタ２３０は、画素列に沿って第１及び第２データ線１７１ａ、１７１ｂと平行な方向に延在する赤色フィルタ、緑色フィルタ、及び青色フィルタを含んでもよい。または赤色フィルタ、緑色フィルタ、及び青色フィルタが各画素別に交互に配列されてもよい。
【００１３】
カラーフィルタ２３０は複数の開口部２３４ａ、２３４ｂ、２３５ａ、２３５ｂを有する。開口部２３４ａ、２３４ｂ、２３５ａ、２３５ｂは維持電極１３３の拡張部１３４ａ、１３４ｂ、１３５ａ、１３５ｂと重なる。
カラーフィルタ２３０の上には保護膜１８０が形成されている。保護膜１８０は、窒化ケイ素または酸化ケイ素などの無機絶縁物質で形成されてもよく、カラーフィルタ２３０が浮くことを防止し、後続工程でカラーフィルタ２３０にエッチング液などの化学液が流入することを防止できる。場合によって保護膜１８０は省略可能である。
保護膜１８０、カラーフィルタ２３０、及び遮断層１６０には第１及び第２ドレイン電極１７５ａ、１７５ｂを露出するコンタクトホール１８５ａ、１８５ｂが形成されており、保護膜１８０及び遮断層１６０には第１及び第２データ線１７１ａ、１７１ｂの端部１７９ａ、１７９ｂをそれぞれ露出するコンタクトホール１８２ａ、１８２ｂが形成されており、保護膜１８０、遮断層１６０及びゲート絶縁膜１４０にはゲート線１２１の端部１２９を露出するコンタクトホール１８１が形成されている。
保護膜１８０の上には画素電極１９１及び複数の接触補助部材８１、８２が形成されている。
【００１４】
画素電極１９１は、第１副画素電極１９１ａと第２副画素電極１９１ｂとの間の間隙９１によって分離されている第１副画素電極１９１ａ及び第２副画素電極１９１ｂを含む。
第１副画素電極１９１ａと第２副画素電極１９１ｂの間の間隙９１は四角形の帯状であり、前述した四角形の帯状の維持電極１３３は間隙９１と重なって、第１副画素電極１９１ａと第２副画素電極１９１ｂの間の光漏れを防止する役割を果たす。
また、維持電極１３３の拡張部１３４ａ、１３５ａ、１３４ｂ、１３５ｂは、第１副画素電極１９１ａまたは第２副画素電極１９１ａ、１９１ｂと重なってストレージキャパシタＣｓｔを形成する。
つまり、第１副画素電極１９１ａは、維持電極１３３の拡張部１３４ａ、１３５ａと重なってストレージキャパシタＣｓｔａを形成する。このとき、第１副画素電極１９１ａと維持電極１３３の拡張部１３４ａ、１３５ａが重なる部分にはカラーフィルタ２３０の開口部２３４ａ、２３５ａが位置することにより、ストレージキャパシタＣｓｔａの絶縁体の厚さを減らして保持容量を増加させることができる。
第２副画素電極１９１ｂは、維持電極１３３の拡張部１３４ｂ、１３５ｂと重なってストレージキャパシタＣｓｔｂを形成する。このとき、第２副画素電極１９１ｂと維持電極１３３の拡張部１３４ｂ、１３５ｂが重なる部分にはカラーフィルタ２３０の開口部２３４ｂ、２３５ｂが位置することにより、ストレージキャパシタＣｓｔｂの絶縁体の厚さを減らして保持容量を増加させることができる。
第１ゲート電極１２４ａ、線状半導体の第１突出部１５４ａ、第１ソース電極１７３ａ、及び第１ドレイン電極１７５ａは第１薄膜トランジスタＱａを形成し、第１薄膜トランジスタＱａはコンタクトホール１８５ａを通じて第１副画素電極１９１ａと接続されている。第２ゲート電極１２４ｂ、線状半導体の第２突出部１５４ｂ、第２ソース電極１７３ｂ、及び第２ドレイン電極１７５ｂは第２薄膜トランジスタＱｂを形成し、第２薄膜トランジスタＱｂはコンタクトホール１８５ｂを通じて第２副画素電極１９１ｂと接続されている。
【００１５】
このように、一つの画素電極１９１を構成する第１副画素電極１９１ａと第２副画素電極１９１ｂはそれぞれ第１薄膜トランジスタＱａと第２薄膜トランジスタＱｂに接続されているので、第１及び第２副画素電極１９１ａ、１９１ｂは第１及び第２データ線１７１ａ、１７１ｂを通じて別個のデータ電圧の印加を受ける。また、これとは異なり、第１及び第２副画素電極１９１ａ、１９１ｂは、一つのデータ線を通じ、互いに異なる時間に別個のデータ電圧の印加を受けてもよい。
このように、第１副画素電極１９１ａと第２副画素電極１９１ｂの電圧が異なると、第１副画素電極１９１ａと共通電極２７０の間に形成される第１液晶キャパシタＣｌｃａ、及び第２副画素電極１９１ｂと共通電極２７０の間に形成される第２液晶キャパシタＣｌｃｂに作用する電圧が異なるので、第１副画素及び第２副画素の液晶分子の傾斜角度が異なり、そのために二つの副画素の輝度が異なるようになる。したがって、第１液晶キャパシタＣｌｃａの電圧及び第２液晶キャパシタＣｌｃｂの電圧を適切に合わせると、側面から見る映像を正面から見る映像に最大限近くすることができ、つまり、側面ガンマ曲線を正面ガンマ曲線に最大限近くすることができ、このことにより、側面視認性を向上することができる。
【００１６】
接触補助部材８１、８２ａ、８２ｂは、コンタクトホール１８１、１８２ａ、１８２ｂを通じてゲート線１２１の端部１２９及びデータ線１７１ａ、１７１ｂの端部１７９ａ、１７９ｂにそれぞれ接続されている。接触補助部材８１、８２ａ、８２ｂは、ゲート線１２１の端部１２９またはデータ線１７１ａ、１７１ｂの端部１７９ａ、１７９ｂと駆動集積回路のような外部装置との接着性を補完し、これらを保護する。
下部表示板１００は、第１基板１１０の上に位置する間隔材３００をさらに含んでもよく、下部表示板１００と上部表示板２００間の間隔を一定に維持させることができる。間隔材３００は上部表示板２００に形成されてもよいが、下部表示板１００に形成されるのがさらに好ましい。これは、下部表示板と上部表示板のミスアライメントが発生する場合、間隔材３００が透過率を低下させるのを防止するためである。
【００１７】
次に、上部表示板２００を説明する。
第２基板２１０の上に複数の遮光部材２２０が形成され、遮光部材２２０の上には蓋膜２５０が形成され、蓋膜２５０の上には共通電極２７０が形成されている。
遮光部材２２０は、ゲート線１２１、データ線１７１ａ、１７１ｂ、及び薄膜トランジスタＱ１、Ｑ２と重なってもよい。遮光部材２２０は、第１方向Ｗ１及び第２方向Ｗ２に沿って形成されてもよい。
下部表示板１００と上部表示板２００の対向する面にはそれぞれ第１配向膜１１と第２配向膜２１が形成されている。第１配向膜１１と第２配向膜２１は垂直配向膜で形成されてもよく、配向膜の表面は領域によって異なる方向に傾いた末端部を有する。第１配向膜１１は下部表示板１００で画素電極１９１の上に位置してもよく、第２配向膜２１は上部表示板２００で共通電極２７０の上に位置してもよい。
第１配向膜１１と第２配向膜２１は光配向されている。一つの画素領域は複数の領域に分かれ、各領域別に配向方向を有する。第１配向膜１１及び第２配向膜２１は、シンナマート、チャコン、クマリンなどの光感応性基を含むポリアミド酸（polyamic acid）またはポリイミド（polyimide）からなってもよい。光配向方法は、垂直配向膜に光を斜めに照射して、配向膜の表面にある光反応性鎖が光照射された方向に沿って傾斜するように設定する方法であり、各領域別に異なる方向に光を照射することができる。
下部表示板１００と上部表示板２００との間には液晶層３が介されている。液晶層３は、負の誘電率異方性を有する複数の液晶分子３１を含んでもよい。
【００１８】
第１配向膜１１及び第２配向膜２１の配向方向によって液晶分子３１が傾く方向が決定される。以下、図５を参照して、各領域における液晶分子の傾斜方向について説明する。
図５は、本発明の一実施形態による曲面液晶表示装置の一画素領域における液晶分子の傾斜方向を示す平面図である。図５は、画素電極を共に示している。
一つの画素領域ＰＸは第１副画素領域ＰＸａと第２副画素領域ＰＸｂを含む。第１副画素電極１９１ａは第１副画素領域ＰＸａに位置し、第２副画素電極１９１ｂは第２副画素領域ＰＸｂに位置する。第１副画素領域ＰＸａは画素領域ＰＸの中央に位置し、第２副画素領域ＰＸｂは第１副画素領域ＰＸａを取り囲む形態に形成される。特に、第２副画素領域ＰＸｂの大部分は第１副画素領域ＰＸａの上側と下側に位置する。第２副画素電極１９１ｂは第１副画素電極１９１ａを取り囲む形態に形成される。ただし、本発明で第１副画素領域ＰＸａと第２副画素領域ＰＸｂの配置形態はこれに限定されず、多様に変更可能である。また、一つの画素領域ＰＸが複数の副画素領域に分かれず、一つの画素領域ＰＸに単一の画素電極が形成されてもよい。
第１副画素領域ＰＸａ及び第２副画素領域ＰＸｂは、それぞれ横中心線（ＢＴ）と縦中心線（ＢＬ）によって少なくとも４個の領域Ｄ１ａ、Ｄ１ｂ、Ｄ２ａ、Ｄ２ｂ、Ｄ３ａ、Ｄ３ｂ、Ｄ４ａ、Ｄ４ｂに分かれる。各副画素領域ＰＸａ、ＰＸｂの４個の領域Ｄ１ａ、Ｄ１ｂ、Ｄ２ａ、Ｄ２ｂ、Ｄ３ａ、Ｄ３ｂ、Ｄ４ａ、Ｄ４ｂは、左上領域Ｄ１ａ、Ｄ１ｂ、右上領域Ｄ２ａ、Ｄ２ｂ、右下領域Ｄ３ａ、Ｄ３ｂ、及び左下領域Ｄ４ａ、Ｄ４ｂで形成される。これらの領域Ｄ１ａ、Ｄ１ｂ、Ｄ２ａ、Ｄ２ｂ、Ｄ３ａ、Ｄ３ｂ、Ｄ４ａ、Ｄ４ｂは、画素電極１９１の横中心線ＢＴと縦中心線ＢＬを境界にしてサイズがほぼ類似している。
【００１９】
画素電極１９１と共通電極２７０の間に電位差が生じると、表示板１００、２００の面にほぼ垂直の電界が液晶層３に生成される。このことにより、液晶層３の液晶分子３１は電界に応答して、その長軸が電界の方向に垂直となるように傾き、液晶分子３１の傾斜程度によって液晶層３に入射した光の偏光の変化程度が変わる。このような偏光の変化は、偏光子によって透過率の変化として現れ、これを通じて液晶表示装置は映像を表示する。
液晶分子３１が傾く方向は、配向膜１１、２１の特性により変化するが、例えば、配向膜１１、２１に偏光方向の異なる紫外線（ＵＶ）を照射するか、または傾くように照射することにより、液晶分子３１の傾斜方向を決定することができる。
【００２０】
図５において、各領域Ｄ１ａ、Ｄ１ｂ、Ｄ２ａ、Ｄ２ｂ、Ｄ３ａ、Ｄ３ｂ、Ｄ４ａ、Ｄ４ｂに表示された矢印は、液晶分子３１が傾く方向を示す。左上領域Ｄ１ａ、Ｄ１ｂで液晶分子が傾く方向は左下方向である。右上領域Ｄ２ａ、Ｄ２ｂで液晶分子が傾く方向は左上方向である。右下領域Ｄ３ａ、Ｄ３ｂで液晶分子が傾く方向は右上方向である。左下領域Ｄ４ａ、Ｄ４ｂで液晶分子が傾く方向は右下方向である。
しかし、各領域Ｄ１ａ、Ｄ１ｂ、Ｄ２ａ、Ｄ２ｂ、Ｄ３ａ、Ｄ３ｂ、Ｄ４ａ、Ｄ４ｂで液晶分子３１が傾く方向はこれに限定されず、色々な組み合わせが可能である。また、各副画素領域ＰＸａ、ＰＸｂは４個以上の領域に分かれてもよい。
【００２１】
以下、図６〜図８を参照して、第１配向膜及び第２配向膜を光配向して、液晶分子が傾く方向を決定する方法について説明する。
図６は、光配向時に使用する二つのマスクを示す概略図であり、図７は、図６のマスクを使用して光を照射する方法を示す概略図であり、図８は、配向膜の配向方向と、これによる液晶分子の傾斜方向を示す図面である。図８は、二つの副画素領域のうちの第１副画素領域を示し、第２副画素領域においても同一に光配向が行われる。
図６を参照すると、光配向時に使用するマスクは第１マスクＭ１と第２マスクＭ２で構成されてもよい。第１マスクＭ１には、本発明の一実施形態による曲面液晶表示装置の曲率方向である第１方向Ｗ１に対して垂直な第２方向Ｗ２に複数の開口部ｈ１が形成されている。第２マスクＭ２には、第１方向Ｗ１と平行な方向に複数の開口部ｈ２が形成されている。
【００２２】
図６Ａ及び図７Ａを参照すると、第１配向膜１１が塗布されている下部表示板１００の上に第１マスクＭ１を配置し、紫外線（ＵＶ）などの光を斜めな角度に照射することによって１次露光を行う。このとき、紫外線（ＵＶ）の照射波長は１０ｎｍ〜４００ｎｍであり、好ましくは２８０ｎｍ〜３４０ｎｍであり得る。光の照射エネルギーは１ｍＪ〜５、０００ｍＪであり得る。配向膜１１、２１の材料によって光の照射エネルギーと照射波長の影響を受ける。配向膜がシンナマート、チャコン、クマリンなどの光感応性基を含むポリアミド酸またはポリイミドからなる場合、光の照射エネルギーは５０ｍＪ以下であり得る。
光は、線偏光（ＬＰＵＶ：linearly polarized ultraviolet）または部分偏光された光を照射する。線偏光は、配向膜の表面に対して斜めな角度で照射して、配向膜の表面が一定の方向にラビングされたような効果を誘発する。配向膜の表面に斜めに線偏光を照射する方法は、配向膜を傾斜するようにするか、または線偏光照射装置を傾斜するようにして行われる。照射傾きは０°〜９０°の間にしてもよい。好ましくは２０°〜７０°であり得る。次に、１次露光一方向と正反対の方向に紫外線（ＵＶ）などの光を斜めにして照射することによって２次露光を行う。
このとき、光照射は、第１マスクＭ１の開口部ｈ１の長軸と平行な方向、つまり、第２方向Ｗ２に沿って移動しながら行う。光照射が開口部ｈ１の長軸と平行な方向に沿って行われない場合、光回折によって実際に露光される領域が減少するだけでなく、基板とマスクの間の距離及び露光角度に対する工程マージンが縮小され得る。
例えば、画素領域の左半部は上から下に傾斜方向を有するように形成し、画素領域の右半部は下から上へ傾斜方向を有するように形成することにより、図８Ａに示すように、傾斜方向が反対の二つの領域が形成され得る。
【００２３】
第１配向膜１１は、第１副画素領域ＰＸａの右上領域Ｄ２ａ及び右下領域Ｄ３ａで第１方向Ｗ１に対して垂直な第２方向Ｗ２に光配向され、左上領域Ｄ１ａ及び左下領域Ｄ４ａで第２方向Ｗ２と正反対の方向−Ｗ２に光配向されている。
同様に、図６Ａ及び図７Ｂを参照すると、第２配向膜２１が塗布されている上部表示板２００の上に第２マスクＭ２を配置し、紫外線（ＵＶ）などの光を斜めな角度に照射することによって３次露光を行う。次に、３次露光した方向と反対方向に紫外線（ＵＶ）などの光を斜めに照射することによって４次露光を行う。
このとき、光照射は、マスクＭ２の開口部ｈ２の長軸と平行な方向、つまり、第１方向Ｗ１に沿って移動しながら行う。
例えば、画素領域の上半部は右側から左側に傾斜方向を有するように形成し、画素領域の下半部は左側から右側に傾斜方向を有するように形成してもよい。これにより、図８のＢに示すように、傾斜方向が反対の二つの領域が形成され得る。
【００２４】
図８Ｂに示すように、第２配向膜２１は、第１副画素領域ＰＸａの左下領域Ｄ４ａ及び右下領域Ｄ３ａで第１方向Ｗ１に光配向され、左上領域Ｄ１ａ及び右上領域Ｄ２ａで第１方向Ｗ１の正反対の方向−Ｗ１に光配向されている。
配向膜の表面に対して斜めな角度に光を照射することにより、配向膜の表面が一定の方向にラビング（rubbing）されたことと同じ効果を有する。つまり、配向膜の表面は光照射方向によって配向方向が変化するので、一つの画素を複数の領域に分けて露光を行うことにより、一つの画素に液晶分子のプレチルト方向が互いに異なる複数のドメインを形成することができる。
図８Ｃを参照すると、下部表示板１００と上部表示板２００を合着すると、第１配向膜１１の配向方向と第２配向膜２１の配向方向のベクトルの和により、各領域Ｄ１ａ、Ｄ２ａ、Ｄ３ａ、Ｄ４ａにおける液晶分子の傾斜方向が決定される。例えば、左上領域Ｄ１ａにおいて、下部表示板１００の第１配向膜１１は上から下に配向方向を有し、上部表示板２００の第２配向膜２１は右側から左側に配向方向を有する。したがって、左上領域Ｄ１ａではベクトルの和によって左下方向に液晶分子が傾くようになる。
【００２５】
本実施形態では、第１配向膜が曲面液晶表示装置の曲率方向に対して垂直方向に光配向され、第２配向膜が曲率方向に平行な方向に光配向されている。これとは反対に、第１配向膜が曲率方向に平行な方向に光配向され、第２配向膜が曲率方向に対して垂直方向に光配向されることを仮定できる。下部表示板と上部表示板を合着した後、これを曲げて曲面液晶表示装置を実現する過程で、下部表示板と上部表示板のミスアライメントが発生し得る。そのために画素領域の縦中心線が移動するようになり、左上領域、右上領域、右下領域、及び左下領域の大きさが異なるようになる。つまり、第２配向膜が曲率方向と異なる方向に光配向される曲面液晶表示装置においては、複数の領域の大きさが異なるように形成される。
本実施形態では、第２配向膜が曲率方向に平行な方向に光配向されているので、下部表示板と上部表示板のミスアライメントが発生しても、画素領域の縦中心線が移動しない。したがって、左上領域、右上領域、右下領域、及び左下領域の大きさは一定に維持される。つまり、下部表示板と上部表示板のミスアライメントが発生しても、配向特性が維持される。
【００２６】
次に、図９〜図１１を参照して本発明の一実施形態による曲面液晶表示装置について説明する。
図９〜図１１に示された本発明の一実施形態による曲面液晶表示装置は、図１〜図８に示された本発明の一実施形態による曲面液晶表示装置と同一の部分が相当あるので、これに対する説明は省略する。本実施形態ではカラーフィルタが上部表示板に形成されるという点で上述した実施形態と異なり、以下、さらに詳細に説明する。
図９は、本発明の一実施形態による曲面液晶表示装置を示す断面図であり、図１０は、本発明の一実施形態による曲面液晶表示装置を示す平面図であり、図１１は、図１０のＸＩ−ＸＩ線に沿って示す本発明の一実施形態による曲面液晶表示装置の断面図である。図１１は、カラーフィルタなどの一部構成要素のみを示し、他の一部構成要素は省略している。
上述した実施形態と同様に、本発明の一実施形態による曲面液晶表示装置は、互いに対向する下部表示板１００と上部表示板２００、及びこれら二つの表示板１００、２００の間に挿入されている液晶層３を含む。下部表示板１００は、第１基板１１０の上に位置する画素電極１９１、及び画素電極１９１の上に位置する第１配向膜１１を含む。上部表示板２００は、第２基板２１０の上に位置する共通電極２７０、及び共通電極２７０の上に位置する第２配向膜２１を含む。
【００２７】
第１配向膜１１は、本発明の一実施形態による曲面液晶表示装置の曲率方向に対して垂直方向に光配向され、第２配向膜２１は、曲率方向に平行な方向に光配向されている。
上述した実施形態では、下部表示板１００にカラーフィルタ２３０が形成されており、本実施形態では、上部表示板２００にカラーフィルタ２３０が形成されている。下部表示板１００は、カラーフィルタの代わりに有機絶縁物質からなる絶縁膜１８０ａをさらに含んでもよい。絶縁膜１８０ａは、遮断層１６０と保護膜１８０の間に位置してもよい。
複数の画素領域ＰＸはマトリックス状に配置されてもよい。つまり、複数の画素領域ＰＸは行方向及び列方向に配置されてもよい。複数の画素領域ＰＸは、複数の第１色画素領域ＰＸ（Ｒ）、複数の第２色画素領域ＰＸ（Ｇ）、及び複数の第３色画素領域ＰＸ（Ｂ）を含んでもよい。第１色画素領域ＰＸ（Ｒ）は赤色画素領域で形成され、第２色画素領域ＰＸ（Ｇ）は緑色画素領域で形成され、第３色画素領域ＰＸ（Ｂ）は青色画素領域で形成されてもよい。第１色画素領域ＰＸ（Ｒ）には第１カラーフィルタ２３０Ｒが位置し、第２色画素領域ＰＸ（Ｇ）には第２カラーフィルタ（図示せず）が位置し、第３色画素領域ＰＸ（Ｂ）には第３カラーフィルタ（図示せず）が位置する。
【００２８】
複数の第１色画素領域ＰＸ（Ｒ）は、本発明の一実施形態による曲面液晶表示装置の曲率方向の第１方向Ｗ１に沿って配置されている。複数の第２色画素領域ＰＸ（Ｇ）は第１方向Ｗ１に沿って配置され、複数の第３色画素領域ＰＸ（Ｂ）は第１方向Ｗ１に沿って配置されている。行方向に同一の色の画素領域ＰＸが配置されてもよい。
第１色画素領域ＰＸ（Ｒ）と第２色画素領域ＰＸ（Ｇ）は、第１方向Ｗ１に対して垂直な第２方向Ｗ２に隣接するように配置されている。第２色画素領域ＰＸ（Ｇ）と第３色画素領域ＰＸ（Ｂ）は第２方向Ｗ２に隣接するように配置されている。列方向に異なる色の画素領域ＰＸが配置されてもよい。
本実施形態では、第１方向に沿って同一の色の画素領域が配置されている。これとは反対に、第１方向に沿って異なる色の画素領域が配置される場合も仮定できる。下部表示板と上部表示板を合着した後、これを曲げて曲面液晶表示装置を実現する過程で、下部表示板と上部表示板のミスアライメントが発生し得る。このとき、上部表示板に含まれているカラーフィルタが第１方向に沿って移動し、一つの画素領域に複数のカラーフィルタが位置するようになって混色が発生する。
本実施形態では、曲率方向に平行な方向に同一の色の画素領域が配置されているので、下部表示板と上部表示板のミスアライメントが発生しても混色が発生しない。
【００２９】
図１０において各画素領域ＰＸは、二つの長辺と、二つの短辺とを含む長方形に形成され、長辺は、本発明の一実施形態による曲面液晶表示装置の曲率方向に対して垂直な第２方向Ｗ２に平行する。ただし、本実施形態はこれに限定されず、画素領域ＰＸの形状は多様に変更が可能である。図１２を参照して、これに対する例示を説明する。
図１２は、本発明の他の実施形態による曲面液晶表示装置を示す平面図である。
図１２に示すように、各画素領域ＰＸは、二つの長辺と、二つの短辺とを含む長方形に形成され、長辺は、本発明の一実施形態による曲面液晶表示装置の曲率方向の第１方向Ｗ１に平行する。
【００３０】
次に、図１３及び図１４を参照して、本発明の一実施形態による曲面液晶表示装置について説明する。
図１３及び図１４に示された本発明の一実施形態による曲面液晶表示装置は、図１〜図８に示された本発明の一実施形態による曲面液晶表示装置と同一の部分が相当あるので、これに対する説明は省略する。本実施形態では、遮光部材が第１方向のみに形成されているという点で上述した実施形態と異なり、以下、さらに詳細に説明する。
図１３は、本発明の一実施形態による曲面液晶表示装置を示す平面図であり、図１４は、図１３のＸＩＶ−ＸＩＶ線に沿って示す本発明の一実施形態による曲面液晶表示装置の断面図である。図１４は、カラーフィルタなどの一部構成要素のみを示し、他の一部構成要素は省略している。
上述した実施形態と同様に、本発明の一実施形態による曲面液晶表示装置は、互いに対向する下部表示板１００と上部表示板２００、及びこれら二つの表示板１００、２００の間に挿入されている液晶層３を含む。下部表示板１００は、第１基板１１０の上に位置する画素電極１９１、及び画素電極１９１の上に位置する第１配向膜１１を含む。上部表示板２００は、第２基板２１０の上に位置する共通電極２７０、及び共通電極２７０の上に位置する第２配向膜２１を含む。
【００３１】
第１配向膜１１は、本発明の一実施形態による曲面液晶表示装置の曲率方向に対して垂直方向に光配向され、第２配向膜２１は、曲率方向に平行な方向に光配向されている。
複数の画素領域ＰＸは、複数の第１色画素領域ＰＸ（Ｒ）、複数の第２色画素領域ＰＸ（Ｇ）、及び複数の第３色画素領域ＰＸ（Ｂ）を含んでもよい。第１色画素領域ＰＸ（Ｒ）には第１カラーフィルタ２３０Ｒが位置し、第２色画素領域ＰＸ（Ｇ）には第２カラーフィルタ２３０Ｇが位置し、第３色画素領域ＰＸ（Ｂ）には第３カラーフィルタ２３０Ｂが位置する。
第２基板２１０の上には遮光部材２２０が位置する。上述した実施形態では、遮光部材２２０が第１方向Ｗ１及び第２方向Ｗ２に沿って形成されており、本実施形態では、遮光部材２２０が第１方向Ｗ１に沿って形成されている。つまり、遮光部材２２０が第２方向Ｗ２には形成されていない。
遮光部材２２０は、第１方向Ｗ１に隣接した複数の画素領域ＰＸ間の境界に位置せず、第１方向Ｗ１に対して垂直な第２方向Ｗ２に隣接した複数の画素領域ＰＸ間の境界に位置している。
遮光部材２２０が第２方向Ｗ２に沿って形成される場合、下部表示板１００と上部表示板２００のミスアライメントが発生するとき、遮光部材２２０の位置が移動して透過率が低下するようになる。本発明の一実施形態による曲面液晶表示装置では、遮光部材２２０を第１方向Ｗ１のみに形成することにより、このような透過率の減少を防止することができる。
【００３２】
図１４において、第１カラーフィルタ２３０Ｒ、第２カラーフィルタ２３０Ｇ、及び第３カラーフィルタ２３０Ｂは第１基板１１０の上に位置していると示している。ただし、本発明はこれに限定されず、図１５を参照して、これに対する例示を説明する。
図１５は、本発明の他の実施形態による曲面液晶表示装置を示す断面図である。
図１５に示すように、第１カラーフィルタ２３０Ｒ、第２カラーフィルタ２３０Ｇ、及び第３カラーフィルタ２３０Ｂは第２基板２１０の上に位置してもよい。
【００３３】
次に、図１６を参照して、本発明の一実施形態による曲面液晶表示装置について説明する。
図１６に示された本発明の一実施形態による曲面液晶表示装置は、図１〜図８に示された本発明の一実施形態による曲面液晶表示装置と同一の部分が相当あるので、これに対する説明は省略する。本実施形態では、一つの画素領域を分ける基準線が全て第１方向に平行するという点で上述した実施形態と異なり、以下、さらに詳細に説明する。
図１６は、本発明の一実施形態による曲面液晶表示装置における配向膜の配向方向と、これによる液晶分子の傾斜方向を示す図面である。
上述した実施形態と同様に、第１配向膜１１は、本発明の一実施形態による曲面液晶表示装置の曲率方向に対して垂直方向に光配向され、第２配向膜２１は、曲率方向に平行な方向に光配向されている。
一つの画素領域ＰＸは、第１方向の３個の線によって最上領域Ｄｐ、中上領域Ｄｑ、中下領域Ｄｒ、及び最下領域Ｄｓに分かれる。４個の領域Ｄｐ、Ｄｑ、Ｄｒ、Ｄｓはその大きさがほぼ類似している。一つの画素領域ＰＸは複数の副画素領域に分かれてもよく、それぞれの副画素領域は４個の領域Ｄｐ、Ｄｑ、Ｄｒ、Ｄｓに分かれる。
【００３４】
図１６Ａを参照すると、第１配向膜１１は、本発明の一実施形態による曲面液晶表示装置の曲率方向の第１方向Ｗ１に対して垂直方向に光配向されている。第１配向膜１１は、中上領域Ｄｑ及び中下領域Ｄｒで第１方向Ｗ１に対して垂直な第２方向Ｗ２に光配向され、最上領域Ｄｑ及び最下領域Ｄｓで第２方向Ｗ２と正反対の方向−Ｗ２に光配向されている。
図１６Ｂを参照すると、第２配向膜２１は第１方向Ｗ１と平行に光配向されている。第２配向膜２１は、中下領域Ｄｒ及び最下領域Ｄｓで第１方向Ｗ１に光配向され、最上領域Ｄｐ及び中上領域Ｄｑで第１方向Ｗ１と正反対の方向−Ｗ１に光配向されている。
図１６Ｃを参照すると、下部表示板１００と上部表示板２００を合着すると、第１配向膜１１の配向方向と第２配向膜２１の配向方向のベクトルの和により、各領域Ｄｐ、Ｄｑ、Ｄｒ、Ｄｓにおける液晶分子の傾斜方向が決定される。最上領域Ｄｐで左下方向に液晶分子が傾くようになり、中上領域Ｄｑで左上方向に液晶分子が傾くようになる。中下領域Ｄｒで右上方向に液晶分子が傾くようになり、最下領域Ｄｓで右下方向に液晶分子が傾くようになる。
本実施形態では、第２配向膜が曲率方向に平行な方向に光配向されているので、下部表示板と上部表示板のミスアライメントが発生しても、最上領域、中上領域、中下領域、及び最下領域の大きさは一定に維持され、配向特性が維持できる。
以上、本発明の好ましい実施形態について詳細に説明したが、本発明の権利範囲はこれに限定されず、次の特許請求の範囲で定義している本発明の基本概念を利用した当業者の種々の変形及び改良形態も本発明の権利範囲に属する。
【符号の説明】
【００３５】
１１  第１配向膜
２１  第２配向膜
１００  下部表示板
１１０  第１基板
１２１  ゲート線
１３１  維持電極線
１７１ａ  第１データ線
１７１ｂ  第２データ線
１９１  画素電極
１９１ａ  第１副画素電極
１９１ｂ  第２副画素電極
２００  上部表示板
２１０  第２基板
２２０  遮光部材
２３０  カラーフィルタ
３００  間隔材
Ｗ１  第１方向
Ｗ２  第２方向
【図１】
0006684092.tif 000002
【図２】
0006684092.tif 000003
【図３】
0006684092.tif 000004
【図４】
0006684092.tif 000005
【図５】
0006684092.tif 000006
【図６Ａ】
0006684092.tif 000007
【図６Ｂ】
0006684092.tif 000008
【図７Ａ】
0006684092.tif 000009
【図７Ｂ】
0006684092.tif 000010
【図８Ａ】
0006684092.tif 000011
【図８Ｂ】
0006684092.tif 000012
【図８Ｃ】
0006684092.tif 000013
【図９】
0006684092.tif 000014
【図１０】
0006684092.tif 000015
【図１１】
0006684092.tif 000016
【図１２】
0006684092.tif 000017
【図１３】
0006684092.tif 000018
【図１４】
0006684092.tif 000019
【図１５】
0006684092.tif 000020
【図１６Ａ】
0006684092.tif 000021
【図１６Ｂ】
0006684092.tif 000022
【図１６Ｃ】
0006684092.tif 000023